(57)【特許請求の範囲】
【請求項１】
パチンコ機の盤面上に配置される図柄表示器の図柄表示部を装飾する図柄表示部装飾部材において、
複数種の図柄表示器のうちの最大の図柄表示部サイズとほぼ同サイズの図柄表示窓が形成された、前記複数種の図柄表示器に共通の本体と、
この本体の図柄表示窓の背面側に着脱自在で、外形サイズが少なくとも前記図柄表示窓のサイズ以上に設定され、背面側に配置される、前記複数種の図柄表示器のうちの使用する一つの図柄表示器の図柄表示部サイズとほぼ同サイズのサイズ整合窓を中央に有する、非透光性のマスク板とを具備し、
前記マスク板は、
前記盤面上への配置時には前記本体に取着されて該本体と一体構造をなし、
前記図柄表示器の図柄表示部の外周側であって、前記本体の図柄表示窓の内周側の範囲全域を目隠しして、前記の使用する一つの図柄表示器の図柄表示部サイズが複数種の図柄表示器のうちの最大サイズ又はそれより小さいサイズである場合でも、前記本体の図柄表示窓の周囲と前記図柄表示器の図柄表示部外周との間に隙間を生じさせず、
前記図柄表示器の図柄表示部の表示可能領域のほぼ全域を可視領域となさしめることを特徴とする図柄表示部装飾部材。
【発明の詳細な説明】
【０００１】
【発明の属する技術分野】
本発明は、パチンコ機の盤面上に配置される図柄表示器の、主として図柄表示部周囲を装飾する図柄表示部装飾部材に関するものである。
【０００２】
【従来の技術】
現在、多くのパチンコ機は、盤面中央部に図柄表示器を配置し、その図柄表示部に種々の図柄を表示して遊技者の興味を惹き付けるようにしている。具体的には、所定の遊技状態になったとき、上記図柄表示部の３つの表示領域の各々に種々の図柄を可変表示し、全図柄停止時に、３つの図柄が特定の図柄で揃った場合に、遊技者に有利な遊技状態（大当たり）を生起させるようにしている。
【０００３】
ところで上記図柄表示器は、ＣＲＴや液晶表示器等、製品そのままの形態ではなく、その表示部周囲が装飾部材（図柄表示部装飾部材）によって装飾された状態で、盤面に取り付けられるのが一般的である。
【０００４】
ここで用いられる図柄表示部装飾部材としては、従来、特許第３０４５１０５号公報に記載のものがある。これは、規格化された表示器を用いながらも遊技者に異なった印象を与えるため、図柄表示部の表示可能領域の一部を隠蔽し、可視領域を表示領域よりも小さくするという装飾部材（飾り部材）である。
【０００５】
【発明が解決しようとする課題】
しかしながら上記従来技術では、次のような問題があった。
すなわち近年、資源枯渇あるいは環境汚染の問題が叫ばれ、それらに対処するため、種々の製品のリサイクル化が進んできているが、パチンコ機もその例外ではない。パチンコ機においては、機種の入替えが頻繁であるため、その構成部品のリサイクル化が特に望まれる。
【０００６】
図柄表示器自体は、盤面から取り外せるようにさえしておけば、リサイクルが可能である。しかし、図柄表示部の装飾部材については、通常、それが付加される図柄表示器のサイズに依存するため、図柄表示器のサイズが変わればリサイクルできなくなる。
【０００７】
従来技術では、上記のように図柄表示部の表示可能領域の一部を隠蔽して可視領域を表示領域よりも小さくしている。すなわち、実際の図柄表示器の表示可能領域とは異なる領域（サイズ）を表示するようになっているので、図柄表示部の可視領域が変わってしまうことが許されるならば、ある程度の互換性を有することになり、その範囲でリサイクルが可能になる。
【０００８】
しかし、いかなるサイズの図柄表示部であっても、その図柄表示部の表示可能領域の全域を表示させるという要望に対しては、従来技術では満足させることができない。すなわち、図柄表示器のサイズ変更に対しては、常に装飾部材のサイズ変更が伴うことになり、したがって、装飾部材のリサイクルはできなくなった。また、装飾部材のサイズ変更に伴って、盤面中央部の装飾部材回りの釘位置の変更も生じることがあり、リサイクルの際の開発工程が増加することにもなった。
【０００９】
本発明は、上記のような実情に鑑みなされたもので、取付対象である図柄表示器（図柄表示部）のサイズが変更されても使用でき、つまりリサイクルが可能となり、また、リサイクルの際の他機種の開発に当たって、盤面上での釘位置の変更を生じさせることがなく、釘位置変更による開発工程の増加のない図柄表示部装飾部材を提供することを目的とする。
【００１０】
【課題を解決するための手段】
上記目的を達成するために、請求項１に記載の発明は、パチンコ機の盤面上に配置される図柄表示器の図柄表示部を装飾する図柄表示部装飾部材において、複数種の図柄表示器のうちの最大の図柄表示部サイズとほぼ同サイズの図柄表示窓が形成された、前記複数種の図柄表示器に共通の本体と、この本体の図柄表示窓の背面側に着脱自在で、外形サイズが少なくとも前記図柄表示窓のサイズ以上に設定され、背面側に配置される、前記複数種の図柄表示器のうちの使用する一つの図柄表示器の図柄表示部サイズとほぼ同サイズのサイズ整合窓を中央に有する、非透光性のマスク板とを具備し、前記マスク板は、前記盤面上への配置時には前記本体に取着されて該本体と一体構造をなし、前記図柄表示器の図柄表示部の外周側であって、前記本体の図柄表示窓の内周側の範囲全域を目隠しして、前記の使用する一つの図柄表示器の図柄表示部サイズが複数種の図柄表示器のうちの最大サイズ又はそれより小さいサイズである場合でも、前記本体の図柄表示窓の周囲と前記図柄表示器の図柄表示部外周との間に隙間を生じさせず、前記図柄表示器の図柄表示部の表示可能領域のほぼ全域を可視領域となさしめることを特徴とする。
【００１１】
【発明の実施の形態】
以下、本発明の実施の形態を図面に基づき説明する。
図１は、本発明の図柄表示部装飾部材が適用されたパチンコ機の一例を示す正面図で、この図に示すように本発明の図柄表示部装飾部材１は、パチンコ機の盤面２上に配置される図柄表示器３の、主として図柄表示部３ａ周囲を装飾する。なお盤面２上には、風車、入賞口等、種々の盤面構成部品４が配置され、また図示しないが多数の遊技釘が散在している。
【００１２】
図２は図１に示した本発明の図柄表示部装飾部材１を取り出し、拡大して示す正面図、図３は同じく側面図、図４は同じく分解斜視図である。
図示するように、本発明の図柄表示部装飾部材１は、本体１１とマスク板１２とを備えて構成される。
この場合、本体１１は、想定される複数種の図柄表示器のうちの最大の図柄表示部（図４中に、そのような図柄表示器３の図柄表示部３ａを示す。）のサイズとほぼ同サイズの図柄表示窓１１ａを有して形成された主構成部材である。この本体１１は、想定される複数種の図柄表示器に共通ないし共用のものとなる。
【００１３】
またマスク板１２は、上記本体１１の図柄表示窓１１ａの背面側に着脱自在である。このマスク板１２は、外形サイズが少なくとも上記図柄表示窓１１ａのサイズ以上、ここではほぼ同サイズに設定され、背面側に配置される図柄表示器３の図柄表示部３ａのサイズ（図柄表示部サイズ）とほぼ同サイズのサイズ整合窓１２ａを中央に有する非透光性の板状部材である。このマスク板１２は、図柄表示部サイズ別のものとなる。
【００１４】
したがって、このマスク板１２によれば、正面側から見て、上記図柄表示器３の図柄表示部サイズを越える外周部分であって、図柄表示窓１１ａの範囲内については、その全域が目隠しされる。
ここで、目隠しは、サイズ整合窓１２ａ外周側のマスク板部１２ｃによってなされるが、図２〜図４に示すマスク板１２は、複数種の図柄表示器のうちの最大サイズの図柄表示部３ａについて用いられているので、マスク板部１２ｃの面積（目隠し面）はサイズ整合窓１２ａのそれに比べて著しく小さくなっている。
【００１５】
図２〜図４に示す例では、本体１１は社の正面形態を模した装飾枠部１１ｂと、その内側に形成された図柄表示窓１１ａとを有してなる。なお図柄表示窓１１ａは、上述したように、複数種の図柄表示器のうちの最大の図柄表示部３ａのサイズとほぼ同サイズである。通常、図柄表示器３の図柄表示部３ａは横長の長方形であり、したがってここでは、図柄表示窓１１ａの形状も、それに合わせた横長の長方形である。
【００１６】
上記装飾枠部１１ｂは、頂部には遊技球（図示せず）が入球可能な球入口１１ｃ、両側部（左右一対の柱部分）には内部が見通せないワープ通路１１ｄ，１１ｅ、同両側部の下端には相互に対向する球出口１１ｆ，１１ｇ、この球出口１１ｆ，１１ｇ相互間には第１ステージ１１ｈ、この第１ステージ１１ｈの手前側には第２ステージ１１ｉが、各々形成されている。
【００１７】
ワープ通路１１ｄ，１１ｅは、上部が共に球入口１１ｃに通じ、下部はワープ通路１１ｄが球出口１１ｆを経て、ワープ通路１１ｅが球出口１１ｇを経て、各々第１ステージ１１ｈに通じている。第２ステージ１１ｉは、第１ステージ１１ｈと平行に、かつ第１ステージ１１ｈよりも若干低い位置に形成されている。
【００１８】
このような本体１１（装飾枠部１１ｂ）によれば、その外観がもたらす装飾効果に加えて、上記球入口１１ｃ、ワープ通路１１ｄ，１１ｅ、球出口１１ｆ，１１ｇ、第１ステージ１１ｈ及び第２ステージ１１ｉによる遊び効果を発揮する。
【００１９】
すなわち、遊技球（図示せず）が球入口１１ｃに入ると、その遊技球は、ワープ通路１１ｄ，１１ｅのいずれかを通って、つまり、一瞬消えた後、球出口１１ｆ又は１１ｇから現れ、第１ステージ１１ｈに入る。
遊技球は、第１ステージ１１ｈに入ると、同ステージ１１ｈ上を左右に遊び移動した後、その中央の凹部１１ｉから第２ステージ１１ｊに落下移動し、そのままその中央から下方、盤面２（図１参照）上に、又は第２ステージ１１ｊの左若しくは右方向に移動した後、更には左右方向に遊び移動した後、下方、盤面２（同図参照）上に、落下する。
【００２０】
またマスク板１２は、合成樹脂材により、本体１１への取着用の穴付き突片１２ｂを有して形成され、その突片１２ｂを通して本体１１の背面側端部に螺入されたねじ（図示せず）により、本体１１の図柄表示窓１１ａの背面側に取着される。
【００２１】
上述したようにマスク板１２は、図柄表示器３の図柄表示部３ａ（図４参照）の外周側であって、本体１１の図柄表示窓１１ａの内周側の範囲全域をマスク板部１２ｃによって目隠ししている。
【００２２】
したがって、本体１１の背面側に配置される上記図柄表示器３（図柄表示部３ａ）のサイズが最大サイズのものよりも小さいサイズである場合でも、本体１１の図柄表示窓１１ａの周囲と上記小さいサイズの図柄表示器３（図柄表示部３ａ）外周との間に隙間が生じない。したがって隙間が生ずると、マスク板１２よりも背面側にある部材、配線等が見えてしまい、図柄表示部３ａの外周を装飾しているにも拘わらず、その内周側に見苦しい箇所が出てしまうということがなくなる。
【００２３】
図５は、本体１１の背面側に、最大サイズのものよりも小さいサイズの図柄表示器３（図４参照）を配置する場合に使用されるマスク板１２の一例を示す図で、（ａ）は正面図、（ｂ）は斜視図である。各図において、図４と同一符号は同一又は相当部分を示す。
図４と比較して分かるように、ここでは、サイズ整合窓１２ａはより小さく、マスク板部１２ｃはより大きく形成されており、小さいサイズの図柄表示部３ａの外周側であって、図柄表示窓１１ａの内周側の範囲全域が目隠しされるようになされている。
【００２４】
このように、取り付けられる図柄表示器（図柄表示部）が変わっても本体は変わらないので、リサイクルの際の他機種の開発に当たって、盤面上での本体周囲の釘位置の変更を生じさせることはなく、釘位置変更による開発工程が増加することはない。
【００２５】
【発明の効果】
以上述べたように本発明では、図柄表示部装飾部材の本体（主構成部材）を、複数種の図柄表示器のうちの最大の図柄表示部サイズとほぼ同サイズの図柄表示窓を形成した共通の部材とした。したがって本体は、取付対象である図柄表示器（図柄表示部）のサイズが変更されても使用可能、つまりリサイクルが可能となる。
【００２６】
図柄表示部のサイズが変わることによる、図柄表示部と本体とのサイズの整合は、非透光性のマスク板で行われる。すなわち、図柄表示部が小サイズのものに変わっても、本体と図柄表示部との間は非透光性のマスク板が目隠しをする。したがって、本体と図柄表示部との間に隙間が生じ、マスク板よりも背面側にある部材、配線等が見えてしまうというようなことはなく、図柄表示部装飾部材による装飾効果を損なわせることはない。
【図面の簡単な説明】
【図１】本発明の図柄表示部装飾部材が適用されたパチンコ機の一例を示す正面図である。
【図２】図１中の図柄表示部装飾部材を取り出し、拡大して示す正面図である。
【図３】同じく側面図である。
【図４】同じく分解斜視図である。
【図５】本発明の図柄表示部装飾部材のマスク板の他の例を示す図である。
【符号の説明】
１  図柄表示部装飾部材
２  盤面
３  図柄表示器
３ａ  図柄表示部
１１  本体
１１ａ  図柄表示窓
１２  マスク板
１２ａ  サイズ整合窓
【図１】
0004936612.tif 000002
【図２】
0004936612.tif 000003
【図３】
0004936612.tif 000004
【図４】
0004936612.tif 000005
【図５】
0004936612.tif 000006